(57)【要約】【課題】本発明は、メンテナンスパネルの表面板を、閉鎖状態の引戸の前後面板とほぼ面一とされた引戸装置であっても、簡単な構造で、メンテナンスパネルと引戸が直接的に接触しない引戸装置を提供することを課題とする。【解決手段】出入開口部を開閉するレール部材、扉、レール部材部分を隠蔽するメンテナンスパネルを備えた引戸装置において、扉、メンテナンスパネルの少なくともいずれか一方に、扉の凸部とメンテナンスパネルが直接的に接することを防止する合成樹脂製の滑動体あるいは回転ローラーを設置する。【選択図】図６
2018031118.tif 000002
【特許請求の範囲】
【請求項１】
出入開口部を開閉する引戸装置において、引戸装置は少なくとも、レール部材、扉、レール部材部分を隠蔽するメンテナンスパネルを備え、扉上端部に開閉方向に長尺であって、扉の厚さ幅より幅狭な凸部が形成され、該凸部と扉の表面部により形成された凹部に、メンテナンスの下端部が収容されるものであって、扉、メンテナンスパネルの少なくともいずれか一方に、扉の凸部とメンテナンスパネルが直接的に接することを防止する合成樹脂製の滑動体を備えていることを特徴とする引戸装置。
【請求項２】
出入開口部を開閉する引戸装置において、引戸装置は少なくとも、レール部材、扉、レール部材部分を隠蔽するメンテナンスパネルを備え、扉上端部に開閉方向に長尺であって、扉の厚さ幅より幅狭な凸部が形成され、該凸部と扉の表面部により形成された凹部に、メンテナンスの下端部が収容されるものであって、扉、メンテナンスパネルの少なくともいずれか一方に、扉の凸部とメンテナンスパネルが直接的に接することを防止する回転ローラーを備えていることを特徴とする引戸装置。
【発明の詳細な説明】
【技術分野】
【０００１】
本発明は、特に事務所の出入口等に使用されるデザイン性に優れた引戸装置に関するものである。
【背景技術】
【０００２】
デザイン性を考慮して、メンテナンスパネル（点検パネル、ランマパネル）の表面板を、閉鎖状態の引戸の前後面板とほぼ面一とした引戸装置がある（例えば特許文献１）。
しかしながらこのような引戸装置の場合、明かり漏れ防止のため、引戸上部に凸部を設け、凸部と引戸表面材との間に生まれる凹部にメンテナンスパネルの下端部を収容している。しかしながら、このように、メンテナンスパネル下端部を引戸凹部に収容させた場合、メンテナンスパネルの下端部と引戸の凸部の隙間が少なく、メンテナンスパネルの変形、歪みにより、点検パネルやランマパネルの下端部と引戸の凸部が接触してしまうことがあった。そのため、接触時の擦り音の発生や、接触によって引戸の開閉抵抗が増し、引戸開閉に支障がでることがあった。
【先行技術文献】
【特許文献】
【０００３】
【特許文献１】特開２０１５−２０３２１１公報
【発明の概要】
【発明が解決しようとする課題】
【０００４】
本発明は、メンテナンスパネルの表面板を、閉鎖状態の引戸の前後面板とほぼ面一とされた引戸装置であっても、簡単な構造で、メンテナンスパネルと引戸が直接的に接触しない引戸装置を提供することを課題とする。
【課題を解決するための手段】
【０００５】
上記課題を解決する為、本発明が第１の手段として構成したところは、出入開口部を開閉する引戸装置において、引戸装置は少なくとも、レール部材、扉、レール部材部分を隠蔽するメンテナンスパネルを備え、扉上端部に開閉方向に長尺であって、扉の厚さ幅より幅狭な凸部が形成され、該凸部と扉の表面部により形成された凹部に、メンテナンスの下端部が収容されるものであって、扉、メンテナンスパネルの少なくともいずれか一方に、扉の凸部とメンテナンスパネルが直接的に接することを防止する合成樹脂製の滑動体を備えているものである。
【０００６】
上記課題を解決する為、本発明が第２の手段として構成したところは、出入開口部を開閉する引戸装置において、引戸装置は少なくとも、レール部材、扉、レール部材部分を隠蔽するメンテナンスパネルを備え、扉上端部に開閉方向に長尺であって、扉の厚さ幅より幅狭な凸部が形成され、該凸部と扉の表面部により形成された凹部に、メンテナンスの下端部が収容されるものであって、扉、メンテナンスパネルの少なくともいずれか一方に、扉の凸部とメンテナンスパネルが直接的に接することを防止する回転ローラーを備えているものである。
【発明の効果】
【０００７】
第１手段として構成したところによると、扉の凸部とメンテナンスパネルが直接的に接する前に、滑動体が、扉あるいはメンテナンスパネルに先に接触するので、扉の凸部とメンテナンスパネルが直接的に接することを防止でき、かつ滑動体が合成樹脂製で滑動性に優れるため、滑動体と、扉あるいはメンテナンスパネルが接触した時の抵抗を少なくでき、扉の開閉時に、扉とメンテナンスパネルが接することにより発生する擦り音を減少させることや、扉とメンテナンスパネルが接することにより増加する扉の開閉抵抗で扉の開閉に支障が出ることを防止できる。そのため、扉とメンテナンスパネルとの隙間を小さくすることが可能である。
【０００８】
第２手段として構成したところによると、扉の凸部とメンテナンスパネルが直接的に接する前に、回転ローラーが、扉あるいはメンテナンスパネルに先に接触するので、扉の凸部とメンテナンスパネルが直接的に接することを防止でき、かつ、回転ローラーは、回転するため、回転ローラーと、扉あるいはメンテナンスパネルが接触した時に回転ローラーが回転し、該接触時の抵抗が少なくなり、扉の開閉時に、扉とメンテナンスパネルが接することにより発生する擦り音の防止や、扉とメンテナンスパネルが接することにより増加する扉の開閉抵抗で扉の開閉に支障が出ることを防止できる。そのため、扉とメンテナンスパネルとの隙間を小さくすることが可能である。
【図面の簡単な説明】
【０００９】
【図１】本発明の引戸装置の閉鎖状態の正面略図。
【図２】本発明の引戸装置の閉鎖状態の背面略図。
【図３】図１のＡ―Ａ線断面拡大図。
【図４】図１のＢ―Ｂ線断面拡大図。
【図５】図１のＣ―Ｃ線断面拡大図。
【図６】図３の要部拡大断面。
【図７】本発明の引戸装置の分解斜視図。
【図８】滑動体を引戸扉に設置した実施例を示す要部拡大断面図。
【図９】滑動体をメンテナンスパネルに設置した実施例を示す要部拡大断面図。
【発明を実施するための形態】
【００１０】
出入開口部の上方部の壁面に取り付けられ出入開口部を開閉し、レール部材、扉、レール部材部分を隠蔽するメンテナンスパネルを備えた引戸装置の扉上端部に、開閉方向に長尺であって、扉の厚さ幅より幅狭な凸部を形成し、該凸部と扉の表面部により形成し、該凹部に、メンテナンスの下端部を収容し、扉に、扉の凸部とメンテナンスパネルが直接的に接することを防止する鉛直する軸を回転軸として回転する回転ローラーを設置する。
【実施例】
【００１１】
以下、第１実施例を添付図面に基づいて詳述する。
図２において、符号１は出入開口部の開口枠を示しており、図１において、符号１００は、出入開口部に設置される引戸装置を示している。
引戸枠１は、図３、図４に示すように、建物用鉄骨１１・・・にブラケット１２・・・を介して固定された戸尻側縦枠１３および戸先側縦枠１４と、戸尻側縦枠１３と戸先側縦枠１４の上端間に配設され、建物用鉄骨１１・・・に連結された上枠１５等より構成されている。そして、建物用鉄骨１１・・・の前後側には、建物用鉄骨１１・・・を挟んでせっこうボードなどの化粧ボード２００、２００が貼り付けられ、建物の内装の壁体が形成される。
図３、図５において、符号２ａは、化粧ボード２００を貼り付ける前に、開口枠１の上方部と該上方部から引戸扉６が開放される側に掛けて設置される補強板を示す。
以下、戸尻側縦枠１３と戸先側縦枠１４間を出入口側、戸尻側縦枠１３を挟んで、戸先側縦枠１４の対向側を引込側、開口枠１の人の出入り方向を前後方向、戸尻側縦枠１３と戸先側縦枠１４の方向を開閉方向と云う。
引戸扉６の開閉方向での両端部のうち、閉止方向の端部を戸先側、開放方向の端部を戸尻側と云う。
【００１２】
引戸装置１００は、主に、補強板２ａが設置された側の壁面に取り付けられるレール補強部材２、レール補強部材２に取り付けられるレール保持材５、レール保持材５に取り付けられるレール部材５０、レール部材５０にブラケットを介して吊り下げられる引戸扉６、引戸扉６の下部の前後の揺れを抑制するガイド装置４、レール保持材５を覆い隠すメンテナンスパネル９で構成されている。
【００１３】
以下、本件発明に関係する部材と設置方法について詳述する。
開口枠１の戸尻側縦枠１３と戸先側縦枠１４は、対称形であって開閉方向で対称に設置されるものであるから、戸尻側縦枠１３についてのみ説明する。
戸尻側縦枠１３は、横断面略コ字形に形成され、建物用鉄骨１１の出入口側面から所定寸法離間した位置に立設され、L字形のブラケット１２・・・と建物用鉄骨１１が溶接されたあと、鉛直姿勢の状態でブラケット１２と溶接される。
【００１４】
上枠１５は、図３に示す如く、断面上向き略コ字形に構成されている。L字形のブラケット１２・・・と建物用鉄骨１１が溶接されたあと、水平姿勢の状態でブラケット１２と溶接される。
【００１５】
尚、戸尻側縦枠１３と戸先側縦枠１４と上枠１５は、前記の溶接を行う前にまず、戸尻側縦枠１３と戸先側縦枠１４を立設し、上枠１５の戸先側と戸尻側のそれぞれを戸先側縦枠１４と戸尻側縦枠１３にネジ止めして、上枠１５と戸尻側縦枠１３と戸先側縦枠１４を門型に仮組みした状態で、前記のように溶接し、建物用鉄骨１１に連結する。
【００１６】
ガイド装置４は、図３に示すように線直断面視コ字状のガイドローラー取付部材４０と、ガイドローラー取付部材４０の上面に回転可能に取り付けられるガイドローラー４１と、図４に示すように、ガイドローラー取付部材４０の戸先側に取り付けられるゴム製の戸当り４２で構成される。
ガイドローラー取付部材４０をアンカーボルトにて所定の位置で床面に固定し、ガイド装置４は設置される。
【００１７】
レール補強部材２は、図３に示すように、開口枠１の上方の壁面に設置されるものであって、主に、鉛直断面視で逆Ｌ字状に形成され出入口側から引込側までの長さの基材２１と、基材２１の左右端部と中央部付近の上部前面に取り付けられるレール吊金具２２・・・で構成される。
このように構成されたレール補強部材２は、開口枠１の上方の壁面にネジにて固定される。この時、ねじは、化粧ボード２００を貫通して、化粧ボード２００貼り付ける前に設置された補強板２ａに対して締結力が効くように固定される。したがって、補強板２ａは、鋼板や合板などのネジ締め付け強度が確保できる材料が適宜採用される。
【００１８】
レール保持材５は、レール補強部材２に対して開閉方向長さが若干短く形成され、図３に示すように、レール部材５０が前側に連結されるレール部材連結壁５ａを有し、左右両端部と中央部付近の、前記レール補強部材２のレール吊金具２２に対応した上部に、上方に突出する吊り下げボルト５ｂが設置されている。
このように構成されたレール保持材５は、吊り下げボルト５ｂを使い、レール補強部材２のレール吊金具２２に対して、高さ調節可能で、水平状態にナットにて螺合固定される。
また、レール保持材５の中央部付近の下部で、Ｌ字状のアングル材５ｃを使い、レール補強部材２に対して固定され、レール保持材５の前後の振れを防止している。
【００１９】
レール部材５０は、レール保持材５のより短い長さでレール部材５０の長尺方向に渡って配設され、図３に示すように、断面略C字形で、レール保持材５よりやや短目のレール補強部材と、レール補強部材の室内側にネジ止め連結される断面略C字形で、レール補強部材とほぼ同長の外側メンバーと、外側メンバーの略３分の２程度の長さのボールリテーナに回転自在に保持されたボールを介して、外側メンバーに摺動自在に保持される、外側メンバーの略３分の１程度の長さの移動側メンバーより構成され、移動側メンバーの前面側には、移動側メンバーと同程度の長さの吊り下げ用金具５１が固着されている。
【００２０】
吊り下げ用金具５１は、図３に示すように、移動側メンバーの前面側に固着される連結固着部５２と、連結固着部５２の下端部に連設された前面側が開口するコ字形の吊り下げ支持部５３より構成されている。
そして、吊り下げ支持部５３の開閉方向側両端部には、前面側が開口する吊り下げボルト挿通孔が形成されている。
【００２１】
吊り下げ用金具５１に吊り下げられる引戸扉６は、戸先側に設けられる引戸縦枠６５と引戸扉６の上部に設けられる引戸上枠６４と、引戸上枠６４の上面に取り付けられる凸部材７と、引戸扉６の下部に設けられる引戸下枠６６と、引戸縦枠６５と引戸上枠６４と引戸下枠６６に囲まれた空間に配設されるペーパーハニカムコア６７で内部構造材が形成され、該内部構造材の前面と後面を、前面板６２、後面板６３で覆うことによってパネル形状とされ、凸部材７の上面から上部カバー８が被せられる。
【００２２】
図３に示すように、引戸扉６の上部には前側凹部７００、後側凹部７０１が形成され、引戸下枠６６の下端面の開閉方向に前記ガイドローラー４１が嵌合する嵌合溝６０が形成され、戸先部には、緩衝部材である上下方向に長い戸当りゴム６００が設けられている。
図１、２の符号３００は、引戸扉６の戸先側端部（引き残し部）で、前後面板６２、６３に設けられた取手を示している。符号３０１は、引戸扉６の施錠装置である。
【００２３】
前側凹部７００、後側凹部７０１は、凸部材７によって形成される。
凸部材７は、引戸上部に立設し、開閉方向に長尺で、引戸扉６の前面板６２と後面板６３間で形成される引戸扉６の全体の厚みより薄く設定される断面下向きコ字状の凸部７２と、凸部７２の下端から前後にそれぞれに突出する前支持突片７２１と後支持突片７２２を有し、凸部７２は、引戸扉６の開閉方向（巾方向）と略同一寸法の長さに形成されている。
【００２４】
凸部材７の前支持突片７２１上面に、前面板６２の上部で折り曲げられた折曲部が被せられ、後支持突片７２２上面に、後面板６３の上部で折り曲げられた折曲部が被せられる。このようにすることで、引戸扉６上部では、表面板の折り曲げ部が見えるだけであるから、前後支持突片の端面などが見えることなく見栄えが良い。
このように、凸部材７は、引戸扉６の全体の厚みより薄いので、引戸扉６の表面板と凸部材７間に段差状の凹部（前側凹部７００、後側凹部７０１）が形成される。
該凹部は、メンテナンスパネル９の下部が収容される部分である。
凸部材７によってメンテナンスパネルの下端下に生まれるわずかな隙間から引戸装置の構造体が見えることを防止でき、引戸扉を挟んだ対面側の光が、他方側に漏れてくることを防止できる。
【００２５】
上部カバー８は、本実施例における壁面に設置されるアウトセット型の引戸装置の時に使用されるものであって、アウトセット型の引戸装置の場合は、メンテナンスパネルが前面部のみであるため、後側凹部７０１が不要であるから、後面板６３と、凸部材７との段差、すなわち後側凹部７０１を埋めるものである。
したがって、上部カバー８は、後側凹部７０１で引戸扉６の後面板６３と面一となる面を８ａ有し、引戸扉６の開閉方向（巾方向）と略同一寸法の長さに設定されている。
上部カバー８が無くとも、後面板６３の上端を上部まで引き上げることによって、後側凹部７０１を埋めてもよい。
【００２６】
このように構成された引戸扉６の上面の戸先側端部と戸尻側端部のそれぞれに、鉛直する軸を回転軸として回転する回転ローラー１０、１０が取り付けられる。
回転ローラー１０は、引戸扉６の前後（出入り）方向の中心に回転軸が設定され、ローラー径は、引戸扉６の前面板６２、後面板６３から飛び出さなく、引戸扉６の厚み寸法よりやや小さく、凸部材７厚みより大きい直径に設定される。
そして、吊り下げ六角ボルト６１、６１が、引戸扉６の引戸上枠６４に設けられた螺孔に螺合される。
【００２７】
引戸扉６は、引戸扉６の下端部の嵌合溝６０に、床面に固定されたガイド装置４のガイドローラー４１を差し込むようにガイド装置４の上部から降ろされ、そして、出入口の前側より、吊り下げ六角ボルト６１、６１の螺軸部が、吊り下げ支持部５３の吊り下げボルト挿通孔を挿通して、ボルト頭部が吊り下げ用支持部５３に保持され、必要に応じて頭部をスパナで回動して引戸扉６を所定の高さに位置させた後、ボルト保持体６５、６５が吊り下げ用支持部５３に前側より連結されて、レール部材５０に吊り下げ用金具５１を介して吊り下げられる。
【００２８】
さらに、引戸扉６を吊り下げた状態で、吊り下げ用金具５１の戸先側端部とレール保持材５の戸先側端部間にゼンマイ式の自閉装置（図示せず。）を配設し、レール保持材５と吊り下げ用金具５１間にブレーキ装置（図示せず。）を配設し、引戸扉６の所望の自閉スピードを得る。尚、実施例のゼンマイ式の自閉装置、ブレーキ装置は公知（市販）のものを使用しているので説明は省略する。また、ゼンマイ式の自閉装置、ブレーキ装置の代わりに公知（市販）の引戸の引き込み装置が使用されることもある。
【００２９】
メンテナンスパネル９は、レール補強部材２を覆う大きさ、すなわち、出入口側から引込側までの長さに形成されたものであって、メンテナンスパネル９を取り付けた状態で引戸扉６の前面板６２と面一になる前表面板９１と、前表面板９１の上端から後方に延伸する上板９２と、上板９２の延伸端から垂下する補強片９２ａと、前表面板９１の左右の両端からそれぞれ後方に延伸する側板９３、９３と、引戸上部に形成された前側凹部７００に収容されるメンテナンスパネル下部突部９４からなる。
前表面板９１の内面（後面）側の下端から上部にかけて、板状のガイド板９５が取り付けられている。
【００３０】
このように形成されたメンテナンスパネル９は、引戸扉６が吊り下げられた状態で、レール保持材５の中央部上面に前後、上下調整可能とされたメンテナンスパネル掛り材１１ａにメンテナンスパネル９の補強片９２ａを引っ掛けてから、レール保持材５の左右両端に上下調整可能にネジ止めされたメンテナンスパネル取付材１１、１１に化粧ネジ１２、１２にて固定される。
メンテナンスパネル掛り材１１ａの前後、上下調整すると、メンテナンスパネル９の中央部付近の垂直度、前後の位置が調整可能である。
【００３１】
以上のように各部材が取り付けられ組み立てられた引戸装置１００は、引戸扉６の前側凹部７００にメンテナンスパネル下部突部９４が収容できるため、メンテナンスパネル９の前表面板９１と引戸扉６の前面板６２がほぼ面一に形成することが可能である。
しかしながら、メンテナンスパネル９の前表面板９１と引戸扉６の前面板６２をほぼ面一にするためには、スペース上、凸部材７の垂直面とメンテナンスパネル下部突部９４の垂直面間の隙間を大きく設定することはできない。
また、メンテナンスパネル９が開閉方向に長尺であるため、メンテナンスパネル９の製作において多少の歪みが発生することは抑えられない。
【００３２】
そのため、凸部材７とメンテナンスパネル下部突部９４間の隙間が少ないと、凸部材７（上部カバー８）とメンテナンスパネル下部突部がメンテナンスパネル９の歪みによって直接干渉することがある。
このように、凸部材７（上部カバー８）とメンテナンスパネル下部突部が直接干渉すると、擦り音が発生することや、干渉の抵抗で引戸扉の開閉に支障が出たりする問題がある。
そして、このような問題点を解消することは本件発明の課題とするところである。
【００３３】
実施例においては、引戸扉６の上面の回転ローラー１０の側面が、メンテナンスパネル９の内面のガイド板９５に近接し、回転ローラー１０は、鉛直する軸を回転軸としているため、引戸扉６の開閉方向に回転可能とされている。
【００３４】
そして、近接する回転ローラー１０の側面とガイド板９５間の隙間が、凸部材７とメンテナンスパネル下部突部９４間の隙間より小さく設定されている。
そのため、凸部材７（上部カバー８）とメンテナンスパネル下部突部が直接干渉する前に、回転ローラー１０の側面とガイド板９５が接触する。
回転ローラー１０は、引戸扉６の開閉方向に回転可能であるから、回転ローラー１０の側面とガイド板９５が接触しても、擦り音の発生や、接触抵抗の発生が皆無である。
尚、ガイド板９５は、回転ローラー１０とガイド板９５間の隙間を調整するのに加え、メンテナンスパネルの補強を兼ねている。
【００３５】
このように、凸部材７とメンテナンスパネル下部突部９４間の隙間が、メンテナンスネル９の歪みや、引戸扉６の開閉軌道のズレなどによって小さくなっている部分を引戸扉６が通過する際、回転ローラー１０が、メンテナンスネル９を前側に押し広げながら通過するので、凸部材７（上部カバー８）とメンテナンスパネル下部突部が直接干渉しない。
回転ローラー１０は、小径のものをメンテナンスパネル９に取り付ける方法でも構わない。
【００３６】
図８に示すように、引戸扉６の凸部材７（上部カバー８）のメンテナンスパネル側の垂直面の開閉方向の両端の２箇所に合成樹脂製の滑動体を設けてもよい。
滑動体１０ａにより、凸部材７（上部カバー８）とメンテナンスパネル下部突部が直接干渉することがなくなる。また、滑動体１０ａは部分的に設置されるものであるから、滑動体１０ａとメンテナンスパネルが干渉しても、接触面積が小さいので大きな抵抗にならず、引戸扉６の開閉に支障がでない。
また、滑動体１０ａは、図９に示すようにメンテナンスパネル側に設置してもよい。メンテナンスパネル側に設置する場合は、引戸扉６の開閉軌道に合わせて、複数個設置するほうがよい。
滑動体１０ａは、合成樹脂であるが、硬質で滑動性に優れた材質のものが適している。
【００３７】
このように、凸部材７とメンテナンスパネル下部突部９４間の隙間が、メンテナンスネル９の歪みや、引戸扉６の開閉軌道のズレなどによって小さくなっている部分を引戸扉６が通過する際、滑動体１０ａが、メンテナンスネル９のメンテナンスパネル下部突部９４を前側に押し広げながら通過するので、凸部材７（上部カバー８）とメンテナンスパネル下部突部が直接干渉しない。
【００３８】
本実施例における引戸装置は、壁面の表面に設置されるアウトセット型であるが、戸袋部が壁内に設置され、壁体の厚み内に開放された引戸扉が収容されるインセット型の引戸装置にも本件発明は使用可能である。
【符号の説明】
【００３９】
１          引戸枠
１００      引戸装置
１１        建物用鉄骨
１３        戸尻側縦枠
１４        戸先側縦枠
１５        上枠
２          レール補強部材
５          レール保持材
６          引戸扉
６２        前面板
６３        後面板
７          凸部材
７００      前側凹部
７０１      後側凹部
７２        凸部
８          上部カバー
９          メンテナンスパネル
９１        前表面板
９４        メンテナンスパネル下部突部
１０        回転ローラー
１０ａ      滑動体
【図１】
2018031118.tif 000003
【図２】
2018031118.tif 000004
【図３】
2018031118.tif 000005
【図４】
2018031118.tif 000006
【図５】
2018031118.tif 000007
【図６】
2018031118.tif 000008
【図７】
2018031118.tif 000009
【図８】
2018031118.tif 000010
【図９】
2018031118.tif 000011